(57)【要約】【課題】電波状態の良いＰＨＳ基地局と通信できる複数の遠隔監視装置が配置されているときでも、良好な電波状態において監視対象のエレベータの情報を送ることのできるエレベータ遠隔監視システムを提供する。【解決手段】エレベータ遠隔監視システムは、複数のエレベータにそれぞれ付随して配置された遠隔監視装置と上記エレベータに対して遠隔地に配置された監視センターとの間にＰＨＳ網を用いて回線を確立し、上記複数のエレベータの情報を送受信し、上記エレベータの故障を上記監視センターにて遠隔監視するエレベータ遠隔監視システムにおいて、上記遠隔監視装置間を通信で接続し、他の上記遠隔監視装置が上記監視センターとの間で回線が確立している間、上記他の遠隔監視装置以外の遠隔監視装置はＰＨＳ網との間で回線を確立しない。【選択図】図１
2008105840.tif 000002
【特許請求の範囲】
【請求項１】
複数のエレベータにそれぞれ付随して配置された遠隔監視装置と上記エレベータに対して遠隔地に配置された監視センターとの間にＰＨＳ網を用いて回線を確立し、上記複数のエレベータの情報を送受信し、上記エレベータの故障を上記監視センターにて遠隔監視するエレベータ遠隔監視システムにおいて、
上記遠隔監視装置間を通信で接続し、他の上記遠隔監視装置が上記監視センターとの間で回線が確立している間、上記他の遠隔監視装置以外の遠隔監視装置はＰＨＳ網との間で回線を確立しないことを特徴とするエレベータ遠隔監視システム。
【請求項２】
複数のエレベータにそれぞれ付随して配置された遠隔監視装置と上記エレベータに対して遠隔地に配置された監視センターとの間にＰＨＳ網を用いて回線を確立し、上記複数のエレベータの情報を送受信し、上記エレベータの故障を上記監視センターにて遠隔監視するエレベータ遠隔監視システムにおいて、
上記遠隔監視装置間を通信で接続し、他の上記遠隔監視装置が上記監視センターとの間で回線が確立し、且つ高速の通信速度で通信しているとき、上記他の遠隔監視装置以外の遠隔監視装置はＰＨＳ網との間で回線を確立し、他の上記遠隔監視装置が上記監視センターとの間で回線が確立し、且つ低速の通信速度で通信しているとき、上記他の遠隔監視装置以外の遠隔監視装置はＰＨＳ網との間で回線を確立しないことを特徴とするエレベータ遠隔監視システム。
【発明の詳細な説明】
【技術分野】
【０００１】
この発明は、エレベータを遠隔地から監視するためのエレベータ遠隔監視システムに関するものである。
【背景技術】
【０００２】
従来のエレベータ遠隔監視システムは、被監視対象としてのエレベータを監視する遠隔監視装置と、遠隔監視装置とは離隔して設けられ、電話回線を介した遠隔監視装置からの情報に基づいてエレベータを遠隔監視する監視センターを備え、エレベータ制御盤に接続された遠隔監視装置からの情報をＰＨＳ（Ｐｅｒｓｏｎａｌ  ＨａｎｄｙＰｈｏｎｅ  Ｓｙｓｔｅｍ）網で伝送されるデジタル信号形式に変換し通信時にみなし音声モードとして発信するためのアダプターと、アダプターと接続されたＰＨＳ端末と、監視センターにアナログ電話回線を介して接続され、ＰＨＳ端末とＰＨＳ網を介して通信するためのＰＨＳ基地局とを備えている（例えば、特許文献１参照）。
【０００３】
【特許文献１】特開２００２−２００４９号公報
【発明の開示】
【発明が解決しようとする課題】
【０００４】
しかし、一般のＰＨＳ端末または他の遠隔監視装置がＰＨＳ基地局との間で回線が確立しているとき、エレベータ制御盤から「発信要求」が送信され、遠隔監視装置のＰＨＳ端末通信部がもっとも電波状態の良いＰＨＳ基地局との間の回線を確立しようとしても、そのＰＨＳ基地局が一般のＰＨＳ端末または他の遠隔監視装置との通信で回線に空きがないときには、そのＰＨＳ基地局と当該遠隔監視装置との間の回線が確立できず、当該遠隔監視装置は、他の電波状態の悪いＰＨＳ基地局との間で回線が確立される。
また、非常に電波状態が悪いＰＨＳ基地局だけが空いているときは、ＰＨＳ網との間に回線が確立できない場合がある。
【０００５】
また、遠隔監視装置とＰＨＳ基地局との間の回線が確立され通信できるが、通信速度が高速接続（例えば６４ｋｂｐｓ）ではなく、低速接続（例えば３２ｋｂｐｓ）になる場合がある。これはＰＨＳ基地局に接続されているＰＨＳ端末の通信速度を落とす（例えば６４ｋｂｐｓから３２ｋｂｐｓに落とす）代わりに、接続できるＰＨＳ端末の台数を増やす（例えば２台から４台に増やす）仕組みがＰＨＳ基地局には備えられている。
【０００６】
例えば、１つのビルに複数のエレベータが配置され、ビルが何らかの原因で停電し、エレベータが停止すると、全てのエレベータは遠隔監視装置に「発信要求」し、全ての遠隔監視装置は電波状態の最も良いＰＨＳ基地局との間の回線を確立しようとしても、電波状態の悪いＰＨＳ基地局との間の回線が確立されたり、ＰＨＳ基地局との間の回線が確立されなかったり、通信速度が低速になったりするという問題がある。
【０００７】
この発明の目的は、電波状態の良いＰＨＳ基地局と通信できる複数の遠隔監視装置が配置されているときでも、良好な電波状態において監視対象のエレベータの情報を送ることのできるエレベータ遠隔監視システムを提供することである。
【課題を解決するための手段】
【０００８】
この発明に係わるエレベータ遠隔監視システムは、複数のエレベータにそれぞれ付随して配置された遠隔監視装置と上記エレベータに対して遠隔地に配置された監視センターとの間にＰＨＳ網を用いて回線を確立し、上記複数のエレベータの情報を送受信し、上記エレベータの故障を上記監視センターにて遠隔監視するエレベータ遠隔監視システムにおいて、上記遠隔監視装置間を通信で接続し、他の上記遠隔監視装置が上記監視センターとの間で回線が確立している間、上記他の遠隔監視装置以外の遠隔監視装置はＰＨＳ網との間で回線を確立しない。
【発明の効果】
【０００９】
この発明に係わるエレベータ遠隔監視システムの効果は、電波状態の良いＰＨＳ基地局を介してＰＨＳ網と回線が確立している遠隔監視装置があるときには、その遠隔監視装置以外の遠隔監視装置がＰＨＳ網に接続の要求を行わず、電波状態の悪いＰＨＳ基地局に接続されないので、電波状態の悪い環境での通信を予防することができることである。
【発明を実施するための最良の形態】
【００１０】
実施の形態１．
図１は、この発明の実施の形態１に係わるエレベータ遠隔監視システムの構成を示すブロック図である。
この発明の実施の形態１に係わるエレベータ遠隔監視システムは、図示しない近隣の３つのビルにそれぞれ設置した３つのエレベータ１ａ〜１ｃの運転状況を遠隔に配置した監視センター９で監視するシステムである。そして、各エレベータ１ａ〜１ｃと監視センター９との間で情報の送受信をＰＨＳ網８を用いて実行する。このとき、これらのビルの近隣に設置されているＰＨＳ基地局７ａがこれらのエレベータ１ａ〜１ｃに対いて電波状態が良好であり、このＰＨＳ基地局７ａの回線に空きがあるときにはエレベータ１ａ〜１ｃはこのＰＨＳ基地局７ａとの間で回線が確立される。また、ＰＨＳ網８にはこれらのエレベータ１ａ〜１ｃに対して電波状態は悪いが接続可能なＰＨＳ基地局７ｂ、７ｃが設置されている。また、ＰＨＳ基地局７ａ〜７ｃには一般ＰＨＳ端末１０からもアクセスがある。なお、ビル、エレベータ、ＰＨＳ基地局の数は、説明のための例であり、これに限るものではない。
【００１１】
この発明の実施の形態１に係わるエレベータ遠隔監視システムは、各エレベータ１ａ〜１のエレベータ制御盤２ａ〜２ｃ、各エレベータ１ａ〜１ｃに対応して配置される遠隔監視装置３ａ〜３ｃ、ＰＨＳ基地局７ａ、ＰＨＳ網８、監視センター９を備える。
各エレベータ制御盤２ａ〜２ｃは、監視対象のエレベータ１ａ〜１ｃが故障したとき、「発信要求」を送信し、監視センター９との間の情報の授受が完了したとき、「切断要求」を発信する。
【００１２】
各遠隔監視装置３ａ〜３ｃは、「発信要求」を受信したとき監視センター９との間に回線を確立し、「切断要求」を受信したとき監視センター９との間の回線を切断する。
次に、遠隔監視装置３ａ〜３ｃについて詳しく説明するが、各遠隔監視装置３ａ〜３ｃは同様であるので、遠隔監視装置３ａについて説明し、他の遠隔監視装置３ｂ、３ｃについては説明を省略する。
遠隔監視装置３ａは、エレベータ制御盤２ａと接続されたエレベータ通信インターフェース回路（エレベータ通信Ｉ／Ｆ）４ａ、エレベータ通信インターフェース回路４ａに接続された送受信制御部５ａ、送受信制御部５ａに接続されたＰＨＳ端末通信部６ａ、送受信制御部５ａに接続された遠隔監視装置間通信インターフェース回路（遠隔監視装置間通信Ｉ／Ｆ）１１ａを備える。
【００１３】
エレベータ通信インターフェース回路４ａは、エレベータ制御盤２ａからの信号を受信して送受信制御部５ａに送信し、逆に送受信制御部５ａからの信号をエレベータ制御盤２ａに送信する。
送受信制御部５ａは、エレベータ制御盤２ａからの「発信要求」を受信したとき、遠隔監視装置間通信インターフェース回路１１ａを経由して通信回線１２により接続されている他の遠隔監視装置３ｂ、３ｃの送受信制御部５ｂ、５ｃにその遠隔監視装置３ｂ、３ｃが通信中であるか否かを確認する。そして、他の遠隔監視装置３ｂ、３ｃが通信中であることを確認したときには、所定の周期で通信中であるか否かの確認を行う。他の遠隔監視装置３ｂ、３ｃが通信中でないことを確認したときには、ＰＨＳ端末通信部６ａを動作し、ＰＨＳ端末通信部６ａとＰＨＳ基地局７ａとの間の回線を確立する。
【００１４】
また、送受信制御部５ａは、エレベータ制御盤２ａからの「切断要求」を受信したとき、ＰＨＳ端末通信部６ａを停止し、ＰＨＳ端末通信部６ａとＰＨＳ基地局７ａとの間の回線を切断する。ＰＨＳ端末通信部６ａとＰＨＳ基地局７ａとの間の回線が切断されることにより、ＰＨＳ網８経由する監視センター９との間の回線が切断される
【００１５】
遠隔監視装置間通信インターフェース回路１１ａは、通信回線１２に接続されている他の遠隔監視装置３ｂ、３ｃとの間の通信を可能にする。
【００１６】
図２は、エレベータ１ａが故障したとき故障に関する情報をエレベータ制御盤２ａから監視センター９に伝送するために実施の形態１に係わる遠隔監視装置３ａが回線を制御する回線制御ルーチンを示すフローチャートである。
次に、エレベータ１ａが故障したときに故障に関する情報をエレベータ制御盤２ａから監視センター９に伝送する回線制御ルーチンの手順について図２を参照して説明する。この回線制御ルーチンは周期的に開始される。
ステップＳ１において、送受信制御部５ａはエレベータ制御盤２ａから「発信要求」を受信したか否かを判断し、「発信要求」を受信したときステップＳ２に進み、「発信要求」を受信していないとき回線制御ルーチンを終了する。
ステップＳ２において、送受信制御部５ａは他の遠隔監視装置３ｂ、３ｃに通信中か否かを確認し、通信中と確認したときステップＳ２を繰り返し、通信中でないと確認したときステップＳ３に進む。例えば、遠隔監視装置３ｂが監視センター９と通信中であれば、送受信制御部５ａは周期的に遠隔監視装置３ｂに通信中であるか否かを確認する。
ステップＳ３において、送受信制御部５ａはエレベータ制御盤２ａと監視センター９との間の回線を確立し、ステップＳ４に進む。このようにエレベータ制御盤２ａと監視センター９との間に回線が確立されると、エレベータ制御盤２ａと監視センター９との間で故障に関する情報を送受信する。
ステップＳ４において、送受信制御部５ａはエレベータ制御盤２ａから「切断要求」を受信したか否かを判断し、「切断要求」を受信したときステップＳ５に進み、「切断要求」を受信していないときステップＳ４を繰り返す。
ステップＳ５において、送受信制御部５ａはエレベータ制御盤２ａと監視センター９との間の回線を切断し回線制御ルーチンを終了する。
【００１７】
このように、例えば、電波状態の良いＰＨＳ基地局７ａを介してＰＨＳ網８と回線が確立している遠隔監視装置３ｂがあるときには、その遠隔監視装置３ｂ以外の遠隔監視装置３ａ、３ｃがＰＨＳ網８に接続の要求を行わず、電波状態の悪いＰＨＳ基地局７ｂ、７ｃに接続されないので、電波状態の悪い環境での通信を予防することができる。
また、多数のエレベータが同時に故障した場合、電波状態の良いＰＨＳ基地局７ａを介して順に故障に関する情報を監視センター９で収集できるので、全体の故障の状況を速やかに把握できる。
【００１８】
実施の形態２．
この発明の実施の形態２に係わるエレベータ遠隔監視システムは、実施の形態１に係わるエレベータ遠隔監視システムと遠隔監視装置が異なり、それ以外は同様であるので同様な部分に同じ符号を付記して説明は省略する。
実施の形態２に係わる遠隔監視装置は、実施の形態１に係わる遠隔監視装置３ａ〜３ｃと送受信制御部が異なり、それ以外は同様であるので同様な部分に同じ符号を付記して説明は省略する。
【００１９】
実施の形態２に係わる送受信制御部は、エレベータ制御盤２ａからの「発信要求」を受信したとき、遠隔監視装置間通信インターフェース回路１１ａを経由して通信回線１２により接続されている他の遠隔監視装置３ｂ、３ｃの送受信制御部５ｂ、５ｃにその遠隔監視装置３ｂ、３ｃが通信中であるか否かを確認する。そして、他の遠隔監視装置３ｂ、３ｃが通信中であることを確認したときには、その通信速度が高速（例えば６４ｋｂｐｓ）か否かを確認する。通信速度が高速でなく低速（例えば３２ｋｂｐｓ）のとき、所定の周期で通信中であるか否かの確認を行う。他方、他の遠隔監視装置３ｂ、３ｃが通信中でないまたは他の遠隔監視装置３ｂ、３ｃが通信中であっても通信速度が高速であることを確認したときには、ＰＨＳ端末通信部６ａを動作し、ＰＨＳ端末通信部６ａとＰＨＳ基地局７ａとの間の回線を確立する。
【００２０】
図３は、エレベータ１ａが故障したとき故障に関する情報をエレベータ制御盤２ａから監視センター９に伝送するために実施の形態２に係わる遠隔監視装置が回線を制御する回線制御ルーチンを示すフローチャートである。
次に、エレベータ１ａが故障したときに故障に関する情報を監視センター９に伝送する手順について図３を参照して説明する。この回線制御ルーチンは周期的に開始される。
ステップＳ１１において、送受信制御部はエレベータ制御盤２ａから「発信要求」を受信したか否かを判断し、「発信要求」を受信したときステップＳ２に進み、「発信要求」を受信していないとき回線制御ルーチンを終了する。
ステップＳ１２において、送受信制御部は他の遠隔監視装置３ｂ、３ｃに通信中か否かを確認し、通信中と確認したときステップＳ１３に進み、通信中でないと確認したときステップＳ１４に進む。
ステップＳ１３において、送受信制御部は通信中の遠隔監視装置３ｂ、３ｃの通信速度が高速か否かを確認し、通信速度が高速と確認したときステップＳ１４に進み、通信速度が高速でないと確認したときステップＳ１２に戻る。
ステップＳ１４において、送受信制御部はエレベータ制御盤２ａと監視センター９との間の回線を確立し、ステップＳ１５に進む。このようにエレベータ制御盤２ａと監視センター９との間に回線が確立されると、エレベータ制御盤２ａと監視センター９との間で故障に関する情報を送受信する。
ステップＳ１５において、送受信制御部はエレベータ制御盤２ａから「切断要求」を受信したか否かを判断し、「切断要求」を受信したときステップＳ１６に進み、「切断要求」を受信していないときステップＳ１５を繰り返す。
ステップＳ１６において、送受信制御部はエレベータ制御盤２ａと監視センター９との間の回線を切断し回線制御ルーチンを終了する。
【００２１】
この実施の形態２に係わる遠隔監視装置は、他の遠隔監視装置が電波状態の良いＰＨＳ基地局７ａと高速で通信を行っているときには、新たに電波状態の良いＰＨＳ基地局７ａと低速で通信を行うことができるので、新たに回線接続を必要とする遠隔監視装置の待機をなくすことができる。
また、他の遠隔監視装置が電波状態の良いＰＨＳ基地局７ａと低速で通信を行っているときは、その通信が完了するまで待機するので、ＰＨＳ基地局７ａでの通信速度をさらに落とすことがなく、安定した通信を行うことができる。
【図面の簡単な説明】
【００２２】
【図１】この発明の実施の形態１に係わるエレベータ遠隔監視システムの構成を示すブロック図である。
【図２】エレベータが故障したとき故障に関する情報をエレベータ制御盤から監視センターに伝送するために実施の形態１に係わる遠隔監視装置が回線を制御する回線制御ルーチンを示すフローチャートである。
【図３】エレベータが故障したとき故障に関する情報をエレベータ制御盤から監視センターに伝送するために実施の形態２に係わる遠隔監視装置が回線を制御する回線制御ルーチンを示すフローチャートである。
【符号の説明】
【００２３】
１ａ〜１ｃ  エレベータ、２ａ〜２ｃ  エレベータ制御盤、３ａ〜３ｃ  遠隔監視装置、４ａ〜４ｃ  エレベータ通信インターフェース回路（エレベータ通信Ｉ／Ｆ）、５ａ〜５ｃ  送受信制御部、６ａ〜６ｃ  ＰＨＳ端末通信部、７ａ〜７ｃ  ＰＨＳ基地局、８  ＰＨＳ網、９  監視センター、１０  一般ＰＨＳ端末、１１ａ〜１１ａ  遠隔監視装置間通信インターフェース回路（遠隔監視装置間通信Ｉ／Ｆ）、１２  通信回線。
【図１】
2008105840.tif 000003
【図２】
2008105840.tif 000004
【図３】
2008105840.tif 000005